(57)【要約】      （修正有）【課題】毛髪を傷めることなく、簡便に使用でき、スタイリング効果をより良好にする理髪用ハサミを提供する。【解決手段】理髪用ハサミは、互いにヒンジ接続された第１握持柄１００及び第２握持柄２００を備え、刃１０及び受け台２０をさらに備え、刃が第２握持柄の他端に設けられ、受け台が第１握持柄の他端に設けられ、受け台にはガム材質の刃台２３が設けられ、刃と受け台は、当接した時に刃台に並べて当接する。理髪用ハサミを操作して使用するにあたり、刃と受け台は、開いている時にハサミの形状となり、閉じている時に並べて噛み合うようになり、刃がガム材質の刃台に当接し、野菜を切るように髪の毛を切断することができ、切断した髪の毛が破断して一方向の傾斜切断口を形成し、髪の毛の長さを問わず操作可能であり、毛髪の向きを異なる角度にしてなる立体的効果を果たす。【選択図】図１
0003233666.tif 000002
【実用新案登録請求の範囲】
【請求項１】
互いにヒンジ接続された第１握持柄及び第２握持柄を備える理髪用ハサミであって、
前記第２握持柄の他端に設けられた刃と、
前記第１握持柄の他端に設けられた受け台であって、前記受け台にガム材質の刃台が設けられ、前記刃と前記受け台が当接した時に、前記刃台に並べて当接する受け台と、をさらに備える、ことを特徴とする理髪用ハサミ。
【請求項２】
前記刃のヒンジ接続部寄りの外側面には、親指が付勢しやすい押圧部が設けられ、前記刃、前記受け台のヒンジ接続部寄りの内側面には、いずれも窪んだ円溝が設けられる、ことを特徴とする請求項１に記載の理髪用ハサミ。
【請求項３】
前記刃は、順次嵌設されたブレードケース、ブレード被覆層及びブレードを備え、前記受け台は、刃台ケースと、前記刃台ケース内に設けられた刃台被覆層とを備え、前記刃台は前記刃台被覆層内に嵌装される、ことを特徴とする請求項１に記載の理髪用ハサミ。
【請求項４】
前記ブレードケースの側壁には、内側に突出する凸部が設けられ、前記刃台被覆層には、前記凸部に合わせた凹部が設けられ、前記ブレード被覆層は、前記ブレードとともに前記ブレードケースに滑り込み、前記凸部と前記凹部により係合して固定される、ことを特徴とする請求項３に記載の理髪用ハサミ。
【請求項５】
前記ブレードケース、前記ブレード被覆層はともに鉄材質であり、前記刃台ケースと前記刃台被覆層も鉄材質である、ことを特徴とする請求項３に記載の理髪用ハサミ。
【請求項６】
前記刃台の横断面がＴ字形である、ことを特徴とする請求項１に記載の理髪用ハサミ。
【請求項７】
前記刃台には歯状凸起が設けられている、ことを特徴とする請求項１に記載の理髪用ハサミ。
【請求項８】
前記第１握持柄及び前記第２握持柄には、いずれも付勢しやすいリングが設けられる、ことを特徴とする請求項１に記載の理髪用ハサミ。
【請求項９】
前記第１握持柄のリングは回動可能に設けられ、且つ、前記第１握持柄の末端には円弧状の手持ち部が設けられ、前記第２握持柄のリングは一体成形させたものである、ことを特徴とする請求項１に記載の理髪用ハサミ。
【請求項１０】
前記第２握持柄のリングの外端には、円弧状押し付け棒が設けられている、ことを特徴とする請求項９に記載の理髪用ハサミ。
【考案の詳細な説明】
【技術分野】
【０００１】
本考案は、理髪工具に関し、具体的には、理髪用ハサミに関する。
【背景技術】
【０００２】
理髪ナイフは、理髪に欠かせない工具であり、髪の毛の長さやグラデーションを構築することで異なる種類の髪型を作り出す。従来の理髪ナイフは、ハサミとシェービングナイフに分けられ、これらを操作して毛髪をカットする際に、以下の問題が生じる。
（１）ハサミは互いに切って閉じる２つの刃を有するように構成されており、両側の刃先が同時に押圧して切り込むことで髪を切断するため、断面視で両側からの圧力を受けることで切断面が中央へ尖った状態となり、刃のヒンジ接続位置に近い毛髪が先に切断され、刃のヒンジ接続位置から離れた毛髪が次に切断され、それにより、毛髪の向きを完全に制御できず、髪型に悪影響を与える。
（２）従来のかみそり（又はシェービングナイフ）は、髪の毛を剃る際に、髪束ねを手で引き上げて締める必要があり、次に刃を直線に引っ張られた位置に当てて力を与えて剃り、髪を切断するが、髪の末端での切断面が大幅に傾斜してしまい、髪の屑が発生して、髪の毛へダメージを与え、従来のかみそりでは、髪の毛を剃る際に、着力するには髪の末端を手で引っ張る必要があり、次に、髪を切断するには大きな力で下方へ剃る必要があり、髪の毛が引っ張られないほど短いことにより着力点がない場合は、髪の毛を剃って切断するという目的を達成できない。
【０００３】
このことから、ハサミでもシェービングナイフでも、刈り終えた毛先が不揃いで、髪の毛の健康にも髪型にも影響する。
【０００４】
以上に鑑み、操作しやすく、毛髪を傷めることなく、毛髪の向きの制御を容易にするために、従来の理髪ナイフの構造を改良することが期待される。
【考案の概要】
【考案が解決しようとする課題】
【０００５】
本考案が解決しようとする技術的課題は、髪の毛を傷め、毛髪の向きを制御しにくいという従来の理髪ナイフの問題である。
【課題を解決するための手段】
【０００６】
上記技術的課題を解決するために、本考案が採用する技術的解決手段は、理髪用ハサミを提供することであり、前記理髪用ハサミは、互いにヒンジ接続された第１握持柄と第２握持柄を備え、
前記第２握持柄の他端に設けられた刃と、
前記第１握持柄の他端に設けられた受け台であって、前記受け台にガム材質の刃台が設けられ、前記刃と前記受け台が当接した時に、前記刃台に並べて当接する受け台と、をさらに備える。
【０００７】
別の好ましい実施例では、前記刃のヒンジ接続部寄りの外側面には、親指が付勢しやすい押圧部が設けられ、前記刃、前記受け台のヒンジ接続部寄りの内側面には、いずれも窪んだ円溝が設けられる。
【０００８】
別の好ましい実施例では、前記刃は、順次嵌設されたブレードケース、ブレード被覆層及びブレードを備え、前記受け台は、刃台ケースと、前記刃台ケース内に設けられた刃台被覆層とを備え、前記刃台は前記刃台被覆層内に嵌装される。
【０００９】
別の好ましい実施例では、前記ブレードケースの側壁には、内側に突出する凸部が設けられ、前記刃台被覆層には、前記凸部に合わせた凹部が設けられ、前記ブレード被覆層は、前記ブレードとともに前記ブレードケースに滑り込み、前記凸部と前記凹部により係合して固定される。
【００１０】
別の好ましい実施例では、前記ブレードケース、前記ブレード被覆層はともに鉄材質であり、前記刃台ケースと前記刃台被覆層も鉄材質である。
【００１１】
別の好ましい実施例では、前記刃台の横断面がＴ字形である。
【００１２】
別の好ましい実施例では、前記刃台には歯状凸起が設けられている。
【００１３】
別の好ましい実施例では、前記第１握持柄及び前記第２握持柄には、いずれも付勢しやすいリングが設けられる。
【００１４】
別の好ましい実施例では、前記第１握持柄のリングは回動可能に設けられ、且つ、前記第１握持柄の末端には円弧状の手持ち部が設けられ、前記第２握持柄のリングは一体成形させたものである。
【００１５】
別の好ましい実施例では、前記第２握持柄のリングの外端には、円弧状押し付け棒が設けられている。
【００１６】
別の好ましい実施例では、２つの前記握持柄には、いずれも付勢しやすいリングが設けられている。
【考案の効果】
【００１７】
従来技術に比べて、本考案を操作して使用するにあたり、刃と受け台は、開いている時にハサミの形状となり、閉じている時に並べて噛み合うようになり、刃がガム材質の刃台に当接し、野菜を切るように髪の毛を切断することができ、切断した髪の毛が破断して一方向の傾斜切断口を形成し、髪の毛の長さを問わず操作可能であり、毛髪の向きを異なる角度にしてなる立体的効果を果たし、また毛髪を傷めることなく、簡便に使用でき、スタイリング効果をより良好にする。
【図面の簡単な説明】
【００１８】
【図１】本考案の開いている時の斜視図である。
【図２】本考案の閉じている時の斜視図である。
【図３】図２の刃及び受け台の側面図である。
【図４】図２の刃と受け台が接合した後の側面図である。
【図５】本考案の刃の構造模式図である。
【図６】本考案の刃台の別の実施例の構造模式図である。
【考案を実施するための形態】
【００１９】
本考案は、髪の毛を小さな力で引っ張り、刃を下方に押圧すると、髪の毛を切断することができ、操作しやすく、毛髪を傷めることない理髪用ハサミを提供する。以下、明細書の図面及び具体的な実施形態を参照しながら、本考案を詳しく説明する。
【００２０】
図１及び図２に示すように、本考案に係る理髪用ハサミは、互いにヒンジ接続された第１握持柄１００及び第２握持柄２００を備え、刃１０及び受け台２０をさらに備え、刃１０は第１握持柄１００の他端に設けられ、受け台２０は第２握持柄２００の他端に設けられ、受け台２０にはガム材質の刃台２３が設けられ、刃１０と受け台２０とは、当接した時に刃台２３に並べて当接する。ガム材質は、硬いとともに、一定の靭性を有し、シャープな物品、例えばブレードの場合にのみ僅かに変形するため、ブレードを保護しつつ、毛髪を素早く切断することができ、コストが低く、ハサミ全体を軽量化させ、使用しやすくする。
【００２１】
本考案は、１つだけの刃１０を有し、受け台２０には、刃１０の受力点だけを受けるための刃台２３が設けられ、髪の毛を小さな力で引っ張り、刃１０を下方に押圧し、ガム材質が刃１０をわずかに変形させると、髪の毛を切断し、それぞれの毛髪の切断の間、髪の毛に対する引張力を制御することで、異なる切断口、傾斜度を有する一方向の傾斜切断面を髪の毛に発生させ、それにより、案内するようにそれぞれの毛髪が独立した異なる傾斜面切断口を有するようにし、毛髪ピース全体の傾斜面を自在に制御し、小から大まで連続している切断傾斜面を作り出すことができ、それにより、毛髪が案内方式の異なる角度の向きになる立体的効果を奏することができ、スタイリストが技術調整で最適な毛髪切断効果を発揮することができる。さらに、刃１０と受け台２０を操作して閉じた時に、受け台２０は刃１０の着力点となり、したがって、髪束ねを手で引っ張って締める必要がなくなり、髪の毛の長さを問わずに切断可能であり、このように、操作が便利で省力化できるだけでなく、異なる長さの髪の毛を刈ることができる。
【００２２】
ハサミを使用して髪の毛を刈る際に引っ張ることにより、各毛髪の毛根部位では、引っ張り力を受けるので、毛根部の毛包が刺激を受けて、血液循環を発生させ、新陳代謝を促進し、髪の毛の成長を速め、髪の毛をフサフサにしてより健康にし、より現代人の健康理念に合致する。
【００２３】
好ましくは、刃１０のヒンジ接続部寄りの外側面には、親指が付勢しやすい押圧部１４が設けられ、押圧部１４は、操作者が髪量に応じて力の大きさを制御することに寄与する。押圧部１４は、凹溝状に設けられるか、使用利便性を高めるために滑り止め模様を追加することができる。刃１０、受け台２０のヒンジ接続部寄りの内側面には、いずれも窪んだ円溝４０が設けられる。刃１０と受け台２０が閉じた時に並べた形状となるため、刃１０と受け台２０は互いに相手へ傾斜し、したがって、円溝４０は、刃１０と受け台２０との過度の摩擦を回避し、開閉の利便性を高める。
【００２４】
好ましくは、図２及び図３に示すように、刃１０は、順次嵌設されたブレードケース１１、ブレード被覆層１２及びブレード１３を備え、受け台２０は、刃台ケース２１と、刃台ケース２１内に設けられた刃台被覆層２２とを備え、刃台２３は刃台被覆層２２内に嵌装される。ブレードケース１１と刃台ケース２１は、内部のブレード１３、刃台２３を保護できるとともに、ブレード１３と刃台２３の衝撃や摩損を防止できる。
【００２５】
好ましくは、図５に示すように、ブレードケース１１の側壁には、内側に突出する凸部１６が設けられ、ブレード被覆層１２には、凸部１６に合わせた凹部が設けられ、ブレード被覆層１２は、ブレード１３とともにブレードケース１１に滑り込み、凸部１６と凹部により係合して固定され、交換する必要がある場合、ブレード被覆層１２をブレード１３とともに取り出して全体として交換する。ブレードケース１１、ブレード被覆層１２は鉄材質とされており、それにより、接続の密着性を確保し、さらに、凹部と凸部１６の係合によりブレード１３が強固に固定され、ブレード１３の脱落を防止することができる。
【００２６】
ブレードケース１１、ブレード被覆層１２はともに鉄材質であり、刃台ケース２１と刃台被覆層２２も鉄材質であり、また、ステンレス鋼材質を用いることもでき、このような金属材質は、変形しにくく、強度が高いという利点があり、ブレード１３と刃台２３が使用中に切断動作を正確に行うことを確保し、使用の柔軟性を高める。ブレード被覆層１２はブレード１３に密着しており、それにより、ブレード１３を全体として簡便に着脱することができる。
【００２７】
好ましくは、図４に示すように、刃台２３の横断面はＴ字形であり、このような形状は、刃台２３が平坦な被切断面を有するようにし、髪の毛の受ける圧力が被切断面に垂直であり、このように、切断面と髪の毛が垂直になる。
【００２８】
好ましくは、図６に示すように、受け台２０には歯状凸起３０が設けられ、このようにすると、髪を薄くする効果を果たし、歯状突起３０の間には、除去しない毛髪のための隙間を設計し、毛髪ピースを受け台２０に配列すると、毛髪が力を受けて破断し、それにより、切断された各束の毛髪ピースについては、薄くするとともに、髪の毛ごとに一方向への案内方式の効果を果たす。
【００２９】
好ましくは、第１握持柄１００及び第２握持柄２００には、いずれも付勢しやすいリング１０１が設けられ、図１には、各握持柄には１つのリング１０１が設けられ、２つのリング１０１は、それぞれ人の手の親指、人差し指の位置に対応し、また、第１握持柄１００に２つのリング１０１が設けられてもよく、これは、それぞれ人差し指、中指の位置に対応する。リング１０１の構造によれば、より簡便に操作することができ、また、使用する時にハサミが抜けにくい。
【００３０】
本実施例では、第１握持柄１００のリング１０１は回動可能に設けられ、回動可能な構成は、人の手が使用中に姿勢や力の大きさに応じて自在に回動できるようにし、さらに使用性を高める。第１握持柄１００の末端には、円弧状手持ち部１４が設けられ、薬指が簡便に手持ち部１４に入れて、それを握って力を与えることができる。第２握持柄２００のリング１０１が一体成形させたものであり、第２握持柄２００のリング１０１には親指が挿入し、一体成形という製造方式では、より簡便に使用できるようにする。
【００３１】
第２握持柄２００のリング１０１の外端には、円弧状押し付け棒２４が設けられ、親指をリング１０１に挿入して使用しない場合、一般には、リング１０１を手の掌に握り、この時、押し付け棒２４が手の掌の内側に押し付けられ、全体の位置決めを容易にし、それにより、利便性及び実用性が高まり、押し付け棒２４を円弧状にするとともに、滑り止め層を追加することができ、したがって、輪郭がよりスムーズになり、使用心地がよくなる。
【００３２】
本考案は、上記の最適実施形態に過ぎず、誰でも理解できるように、本考案の示唆に基づいて行う構造上の変化については、本考案と同様又は類似の技術的解決手段を有するものである限り、本考案の特許範囲に属するものとする。
【図１】
0003233666.tif 000003
【図２】
0003233666.tif 000004
【図３】
0003233666.tif 000005
【図４】
0003233666.tif 000006
【図５】
0003233666.tif 000007
【図６】
0003233666.tif 000008